(57)【要約】【課題】被介護者のＩＤ情報を名簿や記憶をたよりに携帯端末にいちいち入力することなく特定の被介護者に関する介護に必要な情報（介護情報）を取得すること。【解決手段】在宅介護システムは、介護者が所持し、衛星信号に基づき位置情報を検出するＧＰＳ受信機１を搭載した携帯電話３と、管理センターが装備し、介護者及び被介護者の情報を管理するサーバ４とを備える。サーバ４は、複数の被介護者宅の位置情報に対応した被介護者名と、その被介護者名に対応した介護情報とを備える。サーバ４は、携帯電話３からの位置情報に対応した被介護者名を選定して携帯電話３へ送信する。携帯電話３は、サーバ４からの被介護者名が介護者により確認されたことを示す確認情報をサーバ４へ送信する。サーバ４は、携帯電話３からの確認情報に係る被介護者名に対応した介護情報を特定して携帯電話３へ送信する。携帯電話３は、サーバ４からの介護情報を表示する。【選択図】        図１
2005243009.tif 000002
【特許請求の範囲】
【請求項１】
介護者が所持し、衛星信号に基づき位置情報を検出するＧＰＳ受信機を搭載した携帯端末と、介護事業者が装備し、少なくとも前記介護者及び被介護者に関する情報を管理するサーバとを備え、前記ＧＰＳ受信機により検出される位置情報を利用して介護に必要な各種情報を前記携帯端末と前記サーバとの間で送受信することにより在宅介護サービスの管理を行う在宅介護システムにおいて、
前記サーバは、複数の被介護者宅の位置情報に対応した被介護者の氏名情報と、その氏名情報に対応した介護に必要な各種情報とを備えており、
前記サーバは、前記携帯端末から送信される位置情報を受信してその位置情報に対応した被介護者の氏名情報を選定して前記携帯端末へ送信し、
前記携帯端末は、前記サーバから送信される氏名情報を受信してその氏名情報が前記介護者により確認されたことを示す確認情報を前記サーバへ送信し、
前記サーバは、前記携帯端末から送信される確認情報を受信してその確認情報に係る氏名情報に対応した介護に必要な各種情報を特定して前記携帯端末へ送信し、
前記携帯端末は、前記サーバから送信される介護に必要な各種情報を受信して表示するようにしたことを特徴とする在宅介護システム。
【請求項２】
前記サーバは、前記受信される位置情報に対応した被介護者の氏名情報を、前記位置情報の検出精度に応じて複数の氏名情報の中から絞り込むことを特徴とする請求項１に記載の在宅介護システム。
【請求項３】
前記携帯端末は、前記被介護者宅にて介護の終了に際し、前記介護に必要な各種情報に応じて入力される介護結果情報、前記ＧＰＳ受信機により再び検出される位置情報及び前記被介護者から提供される介護終了承認情報を送信し、
前記サーバは、前記携帯端末から送信される前記介護結果情報、前記位置情報及び前記介護終了承認情報を受信して前記被介護者に対応した情報として記録する
ようにしたことを特徴とする請求項１又は２に記載の在宅介護システム。
【請求項４】
介護者が所持し、バーコードを読み取る読取手段を搭載した携帯端末と、介護事業者が装備し、少なくとも前記介護者及び被介護者に関する情報を管理するサーバとを備え、前記読取手段により読み取られるバーコードに収納したＩＤ情報を利用して介護に必要な各種情報を前記携帯端末と前記サーバとの間で送受信することにより在宅介護サービスの管理を行うようにしたことを特徴とする在宅介護システム。
【請求項５】
前記被介護者宅には、個々の被介護者に対応して設定され毎回変えられるＩＤ情報を収納したバーコードが前記介護事業者から配付され、
前記サーバは、複数の被介護者それぞれの介護に必要な各種情報を前記ＩＤ情報に対応して備えており、
前記携帯端末は、前記被介護者宅にて前記読取手段により読み取られるバーコードに収納したＩＤ情報を送信し、
前記サーバは、前記携帯端末から送信されるＩＤ情報を受信してそのＩＤ情報に対応した被介護者の介護に必要な各種情報を特定して前記携帯端末へ送信し、
前記携帯端末は、前記サーバから送信される介護に必要な各種情報を受信して表示するようにしたことを特徴とする請求項４に記載の在宅介護システム。
【請求項６】
前記携帯端末は、前記被介護者宅にて介護の終了に際し、前記介護に必要な各種情報に応じて入力される介護結果情報、前記読取手段により再び読み取られるバーコードに収納したＩＤ情報及び前記被介護者から提供される介護終了承認情報を送信し、
前記サーバは、前記携帯端末から送信される前記介護結果情報、前記ＩＤ情報及び前記介護終了承認情報を受信して前記被介護者に対応した情報として記録する
ようにしたことを特徴とする請求項５に記載の在宅介護システム。
【請求項７】
前記介護に必要な各種情報は、前記被介護者に応じた介護メニューを含み、前記介護メニューは、箇条項目の中から該当項目を選択することにより介護結果を入力可能に構成した表示画面を含むことを特徴とする請求項１乃至６の何れかに記載の在宅介護システム。
【発明の詳細な説明】
【技術分野】
【０００１】
この発明は、介護者が所持する携帯端末を使用して在宅介護サービスの管理を行う在宅介護システムに関する。
【背景技術】
【０００２】
従来、この種のシステムとして、例えば、下記の特許文献１及び２に記載されるシステムがある。特許文献１のシステムは、衛星信号により位置情報を検出するＧＰＳ受信機を搭載したホームヘルパ（介護者）の携帯端末と、少なくとも介護サービス利用者（被介護者）に関する情報及び介護者に関する情報を管理する在宅介護事業者のサーバとを備える。そして、携帯端末のＧＰＳ受信機により検出される位置情報を利用して、携帯端末とサーバとの間で介護を行うために必要な各種データを送受信するようにしている。
【０００３】
上記システムにおいて、（１）介護者は、被介護者宅を訪問するとき、それに先立って、介護を行うために必要な各種データをサーバから受信する。（２）介護者は、被介護者宅に到着したとき、介護サービスの開始情報を携帯端末から介護事業者のサーバへ送信する。この開始情報には、サービス開始時間や現在の位置情報が含まれる。（３）介護事業者のサーバは、受信した開始情報に基づいてサービス管理台帳等のデータを更新する。介護事業者は、受信した位置情報に基づいて介護者の現在位置や介護者が正しい被介護者を訪問しているかをチェックすることができる。
【０００４】
しかし、上記システムでは、介護者が被介護者宅を訪問する前に、介護に必要な各種データをサーバから携帯端末に受信するようにしているため、介護者が多数の被介護者を受け持つ場合は、多量のデータを携帯端末に記憶しなければならず、大容量のメモリを携帯端末に装備する必要がある。
【０００５】
一方、特許文献２のシステムは、介護者の携帯端末が、ＧＰＳを用いて端末装置の位置検出を行い、その検出した位置情報を介護事業者のサーバに知らせるようにしている。このシステムにおいて、（１）携帯端末からは介護者のＩＤ値、操作内容及び現在位置に関する情報が送信される。（２）これらの情報は、介護事業者のサーバで受信され、処理され、必要に応じてデータベースの格納情報が更新される。（３）サーバは、受信したＩＤ値、操作内容及び現在位置の情報に基づき必要な配信情報を生成して介護者の携帯端末へ送信する。(4)介護者は、携帯端末で受信した配信情報を出力して利用する。このシステムでは、ＧＰＳを利用した位置情報に基づいて、介護者の現在位置を把握し、これを訪問介護スケジュール、介護巡回路の生成に利用することができる。また、このシステムでは、介護に必要な情報を予め携帯端末に記憶しておかなくても、それらの情報を、介護訪問の都度、サーバから取得することができるので、大容量のメモリを携帯端末に装備する必要がない。
【０００６】
【特許文献１】特開２００２−１３２９４９号公報（第２−４頁、図１）
【特許文献２】特開２００２−２８８３４６号公報（第２，５−６頁、図９−１１）
【発明の開示】
【発明が解決しようとする課題】
【０００７】
ところが、上記した特許文献２のシステムでは、介護者がある被介護者の介護に必要な情報（介護情報）をサーバから取得する場合、その被介護者を特定するための個人識別情報（ＩＤ情報）をサーバに送信する必要がある。このため、介護者は、手持ちの被介護者名簿を参照しながら被介護者のＩＤ情報を携帯端末にいちいち入力しなければならない。あるいは、介護者は、被介護者のＩＤ情報を予め覚えておき、記憶をたよりにＩＤ情報を携帯端末にいちいち入力しなければならない。このため、受け持ちの被介護者が多数の場合には、被介護者名簿の参照やＩＤ情報の記憶、ＩＤ情報の携帯端末への入力などが介護者にとって面倒な作業となる。
【０００８】
この発明は上記事情に鑑みてなされたものであって、その第１の目的は、被介護者のＩＤ情報を名簿や記憶をたよりに携帯端末にいちいち入力することなく特定の被介護者に関する介護に必要な情報を取得することを可能とした在宅介護システムを提供することにある。この発明の第２の目的は、上記第１の目的に加え、介護者が実際に被介護者宅に訪問して介護を行ったことを客観的に確認することを可能とした在宅介護システムを提供することにある。
【課題を解決するための手段】
【０００９】
上記第１の目的を達成するために、請求項１に記載の発明は、介護者が所持し、衛星信号に基づき位置情報を検出するＧＰＳ受信機を搭載した携帯端末と、介護事業者が装備し、少なくとも介護者及び被介護者に関する情報を管理するサーバとを備え、ＧＰＳ受信機により検出される位置情報を利用して介護に必要な各種情報を携帯端末とサーバとの間で送受信することにより在宅介護サービスの管理を行う在宅介護システムにおいて、サーバは、複数の被介護者宅の位置情報に対応した被介護者の氏名情報と、その氏名情報に対応した介護に必要な各種情報とを備えており、サーバは、携帯端末から送信される位置情報を受信してその位置情報に対応した被介護者の氏名情報を選定して携帯端末へ送信し、携帯端末は、サーバから送信される氏名情報を受信してその氏名情報が介護者により確認されたことを示す確認情報をサーバへ送信し、サーバは、携帯端末から送信される確認情報を受信してその確認情報に係る氏名情報に対応した介護に必要な各種情報を特定して携帯端末へ送信し、携帯端末は、サーバから送信される介護に必要な各種情報を受信して表示するようにしたことを趣旨とする。
【００１０】
上記発明の構成によれば、介護者が被介護者宅を訪問したとき、ＧＰＳ受信機により検出される位置情報を携帯端末から介護事業者のサーバへ送信する。このとき、サーバは、その位置情報を受信してその位置情報に対応した被介護者の氏名情報を選定して携帯端末へ送信する。このとき、その位置情報に対応した被介護者が複数存在する場合は、それら複数の被介護者に係る氏名情報が選定されて送信されることになる。その後、携帯端末は、その氏名情報を受信してその氏名情報が介護者により確認されることにより、その確認されたことを示す確認情報をサーバへ送信する。その後、サーバは、その確認情報を受信してその確認情報に係る氏名情報に対応した介護に必要な各種情報を特定して携帯端末へ送信する。そして、携帯端末は、その介護に必要な各種情報を受信して表示する。従って、介護者は、位置情報、氏名情報に係る確認情報を、簡単な操作により携帯端末から順次送信するだけで、特定の被介護者に関する介護に必要な各種情報を取得して視認できる。また、介護者の携帯端末からサーバへ送信される情報には、ＧＰＳ受信機の受信による位置情報が含まれるので、介護者が実際に被介護者宅を訪問していることをその位置情報により確かめることが可能となる。
【００１１】
上記第１の目的を達成するために、請求項２に記載の発明は、請求項１に記載の発明において、サーバは、受信される位置情報に対応した被介護者の氏名情報を、位置情報の検出精度に応じて複数の氏名情報の中から絞り込むことを趣旨とする。
【００１２】
上記発明の構成によれば、請求項１に記載の発明の作用に加え、ある位置情報に近似する複数の位置情報に対応して被介護者が複数存在する場合、ＧＰＳ受信機による検出精度に応じてそれらの被介護者が選定されることになる。この発明では、ＧＰＳ受信機による検出精度に応じ、該当する被介護者の氏名情報が複数の氏名情報の中から絞りこまれるので、ＧＰＳ受信機の検出精度が高くなるほど、絞り込まれる氏名情報の数が少なくなる。
【００１３】
上記第２の目的を達成するために、請求項３に記載の発明は、請求項１又は２に記載の発明において、携帯端末は、被介護者宅にて介護の終了に際し、介護に必要な各種情報に応じて入力される介護結果情報、ＧＰＳ受信機により再び検出される位置情報及び被介護者から提供される介護終了承認情報を送信し、サーバは、携帯端末から送信される介護結果情報、位置情報及び介護終了承認情報を受信して被介護者に対応した情報として記録するようにしたことを趣旨とする。
【００１４】
上記発明の構成によれば、請求項１又は２に記載の発明の作用に加え、一人の被介護者の介護が終了するごとに、サーバでは、介護者の携帯端末から送信される介護結果情報、位置情報及び介護終了承認情報が受信されて被介護者に対応した情報として記録される。従って、これらの記録が、介護者の業務実態を客観的に知る情報として参照可能となる。
【００１５】
上記第１の目的を達成するために、請求項４に記載の発明は、介護者が所持し、バーコードを読み取る読取手段を搭載した携帯端末と、介護事業者が装備し、少なくとも介護者及び被介護者に関する情報を管理するサーバとを備え、読取手段により読み取られるバーコードに収納したＩＤ情報を利用して介護に必要な各種情報を携帯端末とサーバとの間で送受信することにより在宅介護サービスの管理を行うようにしたことを趣旨とする。
【００１６】
上記発明の構成によれば、例えば、被介護者宅にその被介護者を特定するＩＤ情報を収納したバーコードを配付しておく。そして、介護者は、被介護者宅を訪問したとき、読取手段によりそのバーコードを読み取り、読み取られたＩＤ情報を携帯端末によりサーバへ送信するようにする。従って、介護者は、読取手段と携帯端末を操作するだけで、訪問した被介護者を特定したＩＤ情報をサーバへ送信することができ、その特定された被介護者に関する介護に必要な各種情報をサーバから携帯端末に受信することができる。
【００１７】
上記第１の目的を達成するために、請求項５に記載の発明は、請求項４に記載の発明において、被介護者宅には、個々の被介護者に対応して設定され毎回変えられるＩＤ情報を収納したバーコードが介護事業者から配付され、サーバは、複数の被介護者それぞれの介護に必要な各種情報をＩＤ情報に対応して備えており、携帯端末は、被介護者宅にて読取手段により読み取られるバーコードに収納したＩＤ情報を送信し、サーバは、携帯端末から送信されるＩＤ情報を受信してそのＩＤ情報に対応した被介護者の介護に必要な各種情報を特定して携帯端末へ送信し、携帯端末は、サーバから送信される介護に必要な各種情報を受信して表示するようにしたことを趣旨とする。
【００１８】
上記発明の構成によれば、請求項４に記載の発明の作用に加え、介護者が被介護者宅を訪問したとき、読取手段により読み取られるバーコードに収納したＩＤ情報を携帯端末から介護事業者のサーバへ送信する。このとき、サーバは、送信されたＩＤ情報を受信してそのＩＤ情報に対応した被介護者の介護に必要な各種情報を選定して携帯端末へ送信する。その後、携帯端末は、その介護に必要な各種情報を受信して表示する。従って、介護者は、読取手段と携帯端末を操作するだけで、特定の被介護者に係るＩＤ情報を携帯端末からサーバへ簡単に送信することができ、特定の被介護者に関する介護に必要な各種情報をサーバから取得して視認可能となる。また、バーコードに収納したＩＤ情報は、読み取られるときに毎回変えられるので、介護者は、以前に読み取られたＩＤ情報を不正に流用することができない。このため、介護者が、実際には被介護者宅を訪問していないのに、以前に読み取ったＩＤ情報を不正に流用して介護情報を取得することを防止し、虚偽の介護報告を作成することを防止することができる。
【００１９】
上記第２の目的を達成するために、請求項６に記載の発明は、請求項５に記載の発明において、携帯端末は、被介護者宅にて介護の終了に際し、介護に必要な各種情報に応じて入力される介護結果情報、読取手段により再び読み取られるバーコードに収納したＩＤ情報及び被介護者から提供される介護終了承認情報を送信し、サーバは、携帯端末から送信される介護結果情報、ＩＤ情報及び介護終了承認情報を受信して被介護者に対応した情報として記録することを趣旨とする。
【００２０】
上記発明の構成によれば、請求項５に記載の発明の作用に加え、一人の被介護者の介護が終了するごとに、サーバでは、介護者の携帯端末から送信される介護結果情報、ＩＤ情報及び介護終了承認情報が受信されて被介護者に対応した情報として記録される。従って、これらの記録が、介護者の業務実態を客観的に知る情報として参照可能となる。
【００２１】
上記第１及び第２の目的を達成するために、請求項７に記載の発明は、請求項１乃至６の何れかに記載の発明において、介護に必要な各種情報は、被介護者に応じた介護メニューを含み、介護メニューは、箇条項目の中から該当項目を選択することにより介護結果を入力可能に構成した表示画面を含むことを趣旨とする。
【００２２】
上記発明の構成によれば、請求項１乃至６の何れかに記載の発明の作用に加え、介護メニューの表示画面が、箇条項目の中から該当項目を選択することにより介護結果を入力可能に構成される。従って、介護者は、端末装置を使用して、少ない操作で介護結果を入力することが可能となる。
【発明の効果】
【００２３】
請求項１に記載の発明によれば、被介護者のＩＤ情報を名簿や記憶をたよりに携帯端末にいちいち入力することなく特定の被介護者に関する介護に必要な情報を取得することができる。また、介護者が、実際には被介護者宅を訪問していないのに、介護情報を不正に取得して虚偽の介護報告を作成することを防止することができる。
【００２４】
請求項２に記載の発明によれば、請求項１に記載の発明の効果に加え、介護者が被介護者の氏名情報を確認するとき、極力少ない氏名情報の中から該当する被介護者の氏名情報を特定することができるので、特定作業を容易にすることができる。
【００２５】
請求項３に記載の発明によれば、請求項１又は２に記載の発明の効果に加え、介護者が実際に被介護者宅に訪問して介護を行ったことを客観的に確認することができ、これにより、介護者の報酬を適正に精算することができ、介護報酬に関する不正受給の防止に寄与することができる。
【００２６】
請求項４に記載の発明によれば、被介護者のＩＤ情報を名簿や記憶をたよりに携帯端末にいちいち入力することなく特定の被介護者に関する介護に必要な情報を取得することができる。
【００２７】
請求項５に記載の発明によれば、被介護者のＩＤ情報を名簿や記憶をたよりに携帯端末にいちいち入力することなく特定の被介護者に関する介護に必要な情報を取得することができる。また、介護者が、実際には被介護者宅を訪問していないのに、以前に読み取ったＩＤ情報を不正に流用して介護情報を取得することを防止し、虚偽の介護報告を作成することを防止することができる。
【００２８】
請求項６に記載の発明によれば、請求項５に記載の発明の効果に加え、介護者が実際に被介護者宅に訪問して介護を行ったことを客観的に確認することができ、これにより、介護者の報酬を適正に精算することができ、介護報酬に関する不正受給の防止に寄与することができる。
【００２９】
請求項７に記載の発明によれば、請求項１乃至６の何れかに記載の発明の効果に加え、介護者が一人の被介護者の介護に要する時間を短縮することができる。
【発明を実施するための最良の形態】
【００３０】
［第１実施形態］
以下、本発明の在宅介護システムを具体化した第１実施形態につき図面を参照して詳細に説明する。
【００３１】
図１に、この実施形態における在宅介護システムの概略構成図を示す。このシステムは、介護者が所持し、ＧＰＳ受信機１及びデジタルカメラ２を搭載した本発明の携帯端末としての携帯電話３と、介護事業者としての管理センターが装備し、少なくとも介護者及び被介護者に関する情報を管理するサーバ４とを備える。このシステムは、ＧＰＳ受信機１により検出される位置情報を利用して介護に必要な各種情報につき、携帯電話３とサーバ４との間で、インターネット５を介して双方向で情報の送受信をすることにより、在宅介護サービスの管理を行うようになっている。
【００３２】
携帯電話３のＧＰＳ受信機１は、ＧＰＳ衛星６から発射される衛星信号に基づいて現在の位置情報を検出する。携帯電話３のデジタルカメラ２は、被介護者の顔画像などを撮影するために使用される。携帯電話３は、サーバ４から介護に必要な各種情報を受信して画面に表示する機能を有する。
【００３３】
サーバ４は、コンピュータ７と、コンピュータ７に接続されたデータベース８と、コンピュータ７及びインターネット５に接続された送受信用モデム９とを備える。データベース８には、「被介護者台帳」、「介護者台帳」、「サービス管理台帳」及び「介護メニュー台帳」に関する情報、並びに「地図情報」が予め格納される。これらの情報は、書き換え可能に構成される。
【００３４】
「被介護者台帳」には、在宅介護サービスを受ける被介護者に関する情報が記録される。この台帳の情報は、例えば、被介護者に関する氏名情報（被介護者名）、被介護者の住所、電話番号及び被介護者宅の位置情報などを含む。「介護者台帳」には、被介護者を介護する介護者に関する情報が記録される。この台帳の情報は、例えば、介護者名、介護者のＩＤ情報（登録番号）、住所及び電話番号などを含む。「サービス管理台帳」には、在宅介護サービスに関する予定や介護者の現在状況などを管理するための情報が記録される。この台帳の情報は、例えば、個々の介護者に関する在宅介護サービスの開始時間及び終了時間、並びに介護者の現在の位置情報などを含む。「介護メニュー台帳」には、各被介護者に対応した介護メニューに関する情報が記録される。この台帳の情報は、携帯電話３に所定の画面として表示される。「地図情報」は、被介護者の住所、介護者の位置情報などを地図上に表示するようになっている。ここで、各被介護者宅の位置情報と被介護者名とが、互いに対応して関連付けられている。また、被介護者名と介護に必要な各種情報とが、互いに対応して関連付けられている。
【００３５】
次に、この在宅介護システムの動作手順を、図２〜５を参照して説明する。図２に動作手順をフローチャートに示す。図３に動作手順を概念図に示す。図４，５に携帯電話３に表示される一連の表示画面を示す。図４，５に示す画面Ａ〜Ｆは、携帯電話３において順次表示される画面情報である。
【００３６】
図２のフローチャートにおいて、先ず、ステップ１００で、図３（ａ），（ｂ）に示すように、介護者は、携帯電話３を所持して被介護者宅を訪問する。
【００３７】
次に、ステップ１１０で、図３（ｃ）に示すように、介護者は、ＧＰＳ受信機１を操作して位置検出をする。この位置検出により、介護者が訪問した被介護者宅の位置情報が検出される。このとき携帯電話３には、図４に示す画面Ａ（「位置情報入力メニュー」）が表示される。この画面Ａには、介護者のＩＤ情報である「登録番号」、「介護者氏名」及び「位置情報」が表示される。また、画面Ａには「送信」のキーが表示される。
【００３８】
次に、ステップ１２０で、図３（ｃ）に示すように、介護者は、携帯電話３で管理センターのサーバ４にアクセスし、検出された位置情報などを送信する。ここで、介護者は、携帯電話３の画面Ａにおける「送信」のキーを選択してクリックすることにより、送信操作を行うことができる。
【００３９】
その後、ステップ１３０で、図３（ｃ）に示すように、管理センターのサーバ４は、受信した位置情報に対応した被介護者名を選定して携帯電話３へ送信する。ここで、サーバ４は、受信した位置情報に基づいて該当する被介護者を絞り込み、位置情報に対応した被介護者名を携帯電話３へ送信する。このとき、サーバ４のコンピュータ７は、受信した位置情報に対応した被介護者名を、ＧＰＳ受信機１による検出精度に応じて複数の被介護者名の中から絞り込むようになっている。絞り込みにより複数の被介護者名がピックアップされた場合、サーバ４は、それら複数の被介護者名を携帯電話３へ送信することになる。
【００４０】
このとき、被介護者名が携帯電話３で受信されることにより、携帯電話３には、図４に示す画面Ｂ（「被介護者選択メニュー」）が表示される。この画面Ｂには、介護者の「登録番号」、「介護者氏名」、「被介護者選択」の欄、「介護サービス選択メニュー」が表示される。また、画面Ｂには「送信」のキーが表示される。「被介護者選択」の欄には、該当する被介護者名が一つのときは、一つの名前が表示され、該当する被介護者名が複数のときは、複数の名前が表示される。
【００４１】
そして、ステップ１４０で、介護者は、携帯電話３で受信した被介護者名が訪問先の被介護者と一致することを確認し、その確認したことを示す確認情報を携帯電話３によりサーバ４へ送信する。このとき、介護者は、図４の画面Ｂにおける「被介護者選択」の欄から該当する被介護者名を選択する。この選択は、画面Ｂの中で該当する被介護者名をカーソルの移動により選定してクリックすることにより行うことができる。また、介護者は、訪問先の被介護者名を表札などや本人への問い合わせにより確認するだけで被介護者名を選択することができる。併せて、介護者は、画面Ｂにおける「介護サービス選択メニュー」から、該当するサービスを選択する。この選択も画面Ｂの中で該当するサービスを選定してクリックすることにより行うことができる。選択が完了して、介護者が、画面Ｂにおける「送信」のキーをクリックすると、画面Ｂが画面Ｃ（「被介護者確認」及び「介護サービス選択確認」）に変わる。
【００４２】
画面Ｃには、介護者の「登録番号」、「介護者氏名」、「被介護者」及び「介護サービス選択確認」が表示される。また、画面Ｃには「修正」及び「送信」のキーが表示される。介護者は、修正が必要な場合は「修正」のキーをカーソルの移動により選定してクリックすることにより、画面Ｂに戻って選択の修正を行うことができる。また、介護者は、修正が必要ない場合は、「送信」のキーをクリックすることにより、確認・選択した被介護者名をサーバ４へ送信することができる。
【００４３】
その後、ステップ１５０で、サーバ４は、受信した被介護者名に対応した介護メニューを検索して携帯電話３へ送信する。
【００４４】
そして、ステップ１６０で、携帯電話３は、受信した「介護メニュー」を、図５に示す画面Ｄに表示する。画面Ｄには、介護者の「登録番号」、「介護者氏名」、「被介護者」、「介護開始」の日時、「体温」の記入欄、「血圧」の記入欄、「脈拍」の記入欄、「最終排便」の記入欄、「睡眠」の良否の記入欄及び「訪問治療依頼」の選択欄などが表示される。また、画面Ｄには「完了」のキーが表示される。このように、介護メニューは、箇条項目の中から該当項目を選択することにより介護結果を入力可能に構成した表示画面（画面Ｄ）を含む。
【００４５】
その後、ステップ１７０で、介護者は、上記した「介護メニュー」の項目に従い介護を開始し、その介護結果を携帯電話３に入力する。このとき、介護者は、図５の画面Ｄにおける各欄に必要なデータを入力する。入力が完了して、介護者が、画面Ｄにおける「完了」のキーをクリックすると、画面Ｄが画面Ｅ（「介護報告」）に変わる。画面Ｅには、上記した「介護メニュー」の項目に加え、「介護終了」の日時、「位置情報」の表示欄、「被介護者承認」の表示欄、入力データ送信確認のための「はい」及び「いいえ」のキーが表示される。
【００４６】
次に、ステップ１８０で、図３（ｄ）に示すように、介護者は、ＧＰＳ受信機１を操作して再び位置検出をする。この位置検出により、介護者が訪問した被介護者宅の位置情報が再び検出される。検出された位置情報は、図５の画面Ｅにおける位置情報の表示欄に自動的に表示される。
【００４７】
次に、ステップ１９０で、介護者は、デジタルカメラ２を操作して被介護者の顔画像などを撮影する。撮影された顔画像などは、図５の画面Ｅにおける被介護者承認の表示欄に、被介護者から提供される介護終了承認の証拠の一つとして表示される。
【００４８】
その後、ステップ２００で、介護者は、図５の画面Ｅにおける「はい」のキーをクリックすることにより、介護結果、位置情報、顔画像などを携帯電話３からサーバ４へ送信する。送信された情報が、サーバ４で受信されると、携帯電話３に図５の画面Ｆが表示される。画面Ｆには、「受け取りました。介護終了です。」が表示される。
【００４９】
そして、ステップ２１０で、管理センターのサーバ４は、受信した介護結果、位置情報、顔画像などをデータベース８に記録する。上記のようにしてこの在宅介護システムを使用した介護が終了する。
【００５０】
以上説明したこの実施形態の在宅介護システムは、介護者が所持し、衛星信号に基づき位置情報を検出するＧＰＳ受信機１を搭載した携帯電話３と、管理センターが装備し、少なくとも介護者及び被介護者に関する情報を管理するサーバ４とを備える。そして、ＧＰＳ受信機１により検出される位置情報を利用して介護に必要な各種情報を携帯電話３とサーバ４との間で送受信することにより在宅介護サービスの管理を行うようになっている。この在宅介護システムによれば、介護者が被介護者宅を訪問したとき、ＧＰＳ受信機１により検出される位置情報を携帯電話３から管理センターのサーバ４へ送信する。これにより、サーバ４は、その位置情報を受信してその位置情報に対応した被介護者名を選定して携帯電話３へ送信する。このとき、その位置情報に対応した被介護者が複数存在する場合は、複数の被介護者名が選定されて送信されることになる。その後、携帯電話３は、それら被介護者名を受信してその介護者名が介護者により確認されることにより、その確認されたことを示す確認情報をサーバ４へ送信する。その後、サーバ４は、その確認情報を受信してその確認情報に係る被介護者名に対応した介護に必要な各種情報（介護情報）を特定して携帯電話３へ送信する。そして、携帯電話３は、その介護情報を受信して表示するようになっている。
【００５１】
従って、介護者は、位置情報、被介護者名に係る確認情報を、簡単な操作により携帯電話３から順次送信するだけで、特定の被介護者に関する介護情報を取得して視認することができる。ここで、介護者は、ある被介護者の介護情報をサーバ４から取得するときに、その被介護者を特定するためのＩＤ情報をサーバ４へ送信する必要がない。このため、介護者は、被介護者のＩＤ情報を被介護者名簿や記憶をたよりに携帯電話３にいちいち入力することなく特定の被介護者に関する介護情報を取得することができる。ここで、介護者の携帯電話３からサーバ４へ送信される情報には、ＧＰＳ受信機１の受信による位置情報が含まれるので、介護者が実際に被介護者宅を訪問しているか否かをその位置情報に基づいて確認することが可能となる。このため、介護者が、実際には被介護者宅を訪問していないのに、介護情報を不正に取得して虚偽の介護報告を作成することを防止することができる。
【００５２】
また、この在宅介護システムによれば、ＧＰＳ受信機１で検出したある位置情報に近似する複数の位置情報に対応して被介護者が複数存在する場合、ＧＰＳ受信機１による検出精度に応じてそれらの被介護者が選定されることになる。つまり、位置情報の検出精度は、最小スケールで構成される単位エリアで表される。従って、その単位エリア内に複数の位置情報が含まれる場合は、それら位置情報に対応した被介護者が選定されることになる。このシステムでは、ＧＰＳ受信機１による検出精度に応じて、該当する被介護者名が複数の被介護者名の中から絞りこまれるので、ＧＰＳ受信機１の検出精度が高くなるほど、絞り込まれる被介護者名の数が少なくなる。これにより、介護者が被介護者名を確認するとき、極力少ない数の名前から該当する被介護者名を特定することができるので、特定作業を容易にすることができる。
【００５３】
また、この在宅介護システムによれば、介護者が取得する介護情報における介護メニューが、所定の表示画面（図５の画面Ｄ）を含み、その表示画面が、箇条項目の中から該当項目を選択することにより介護結果を入力可能に構成される。従って、介護者は、携帯電話３を使用して、少ない操作で介護結果を入力することが可能となる。このため、介護者が一人の被介護者の介護に要する時間を短縮することができる。
【００５４】
また、この在宅介護システムによれば、一人の被介護者の介護が終了するごとに、サーバ４には、その被介護者に関する位置情報と介護の開始時間及び終了時間（介護時間）が記録される。このため、介護者の報酬を精算するときに、これらの位置情報と介護時間を参照することができるので、介護者が、実際に被介護者宅を訪問して介護を行ったことを客観的に確かめることができる。このため、介護者の報酬を適正に精算することができ、介護報酬に関する不正受給の防止に寄与することができる。
【００５５】
［第２実施形態］
次に、本発明の在宅介護システムを具体化した第２実施形態につき図面を参照して詳細に説明する。
【００５６】
図６に、この実施形態における在宅介護システムの概略構成図を示す。このシステムは、介護者が所持し、デジタルカメラ２及びバーコード読取装置１１を搭載した本発明の携帯端末としての携帯電話１２と、介護事業者としての管理センターが装備し、少なくとも介護者及び被介護者に関する情報を管理するサーバ４と、複数の被介護者宅のそれぞれに備え付けられたパソコンなどの端末１３とを備える。このシステムは、被介護者宅の端末１３に表示される二次元バーコード１４をデジタルカメラ２及びバーコード読取装置１１により読み取り、読み取られた二次元バーコード１４に収納したＩＤ情報を利用して介護に必要な各種情報につき、携帯電話１２とサーバ４との間で、インターネット５を介して双方向で情報の送受信をすることにより、在宅介護サービスの管理を行うようになっている。
【００５７】
携帯電話１２のデジタルカメラ２は、被介護者の顔画像や二次元バーコード１４などの画像を撮影するために使用される。携帯電話１２のバーコード読取装置１１は、デジタルカメラ２により撮影される二次元バーコード１４に収納した各種情報を読み取り、携帯電話１２の画面に文字情報として表示するように構成される。このバーコード読取装置１１は、携帯電話１２に内蔵したコンピュータと、そのコンピュータのメモリに格納される読み取りプログラムと、携帯電話１２の画面とにより構成される。この実施形態で、デジタルカメラ２とバーコード読取装置１１は、本発明における読取手段を構成する。携帯電話１２は、サーバ４から介護に必要な各種情報を受信して画面に表示する機能を有する。
【００５８】
各被介護者宅の端末１３には、必要に応じて、個々の被介護者に対応して設定され毎回変えられるＩＤ情報を収納した二次元バーコード１４の情報が、管理センターのサーバ４からインターネット５を介して送信され、配付されるようになっている。この実施形態では、個々の被介護者に対応したＩＤ情報として、暗証番号及び各種Ｗｅｂアドレスが使われる。
【００５９】
サーバ４は、コンピュータ７、データベース８及び送受信用モデム９を備える。データベース８には、「被介護者台帳」、「介護者台帳」、「サービス管理台帳」及び「介護メニュー台帳」に関する情報、並びに「地図情報」が予め格納される。これらの情報は、書き換え可能に構成される。
【００６０】
「被介護者台帳」には、在宅介護サービスを受ける被介護者に関する情報が記録される。この台帳の情報は、例えば、被介護者に関する氏名情報（被介護者名）、被介護者の住所、電話番号及び被介護者のＩＤ情報（暗証番号及びＷｅｂアドレス）などを含む。「介護者台帳」には、被介護者を介護する介護者に関する情報が記録される。この台帳の情報は、例えば、介護者名、介護者のＩＤ情報（登録番号）、住所及び電話番号などを含む。「サービス管理台帳」には、在宅介護サービスに関する予定や介護者の現在状況などを管理するための情報が記録される。この台帳の情報は、例えば、個々の介護者に関する在宅介護サービスの開始時間及び終了時間、並びに介護者の現在の訪問先情報（被介護者名）などを含む。「介護メニュー台帳」には、各被介護者に対応した介護メニューに関する情報が記録される。この台帳の情報は、携帯電話１２の画面に表示される。「地図情報」は、被介護者の住所、介護者の位置情報などを地図上に表示するようになっている。ここで、各ＩＤ情報（暗証番号、Ｗｅｂアドレス）と被介護者名とが、互いに対応して関連付けられている。また、被介護者名と介護に必要な各種情報とが、互いに対応して関連付けられている。
【００６１】
次に、この在宅介護システムの動作手順を、図６〜１０を参照して説明する。図７に介護開始までの動作手順をフローチャートに示す。図８に介護開始から介護終了までの動作手順をフローチャートに示す。図９，１０に携帯電話１２に表示される一連の表示画面を示す。図９，１０に示す画面Ａ〜Ｆは、携帯電話１２において順次表示される画面情報である。
【００６２】
先ず、介護開始までの流れを説明する。図７のフローチャートにおいて、ステップ３００で、介護者は、携帯電話１２を所持して被介護者宅を訪問する。
【００６３】
次に、ステップ３１０で、被介護者の端末１３は、介護者又は被介護者の操作により、被介護者の介護メニュートップのＷｅｂアドレス及び毎回変わる暗証番号を収納した二次元バーコード１４を管理センターのサーバ４に要求する。
【００６４】
すると、ステップ３２０で、管理センターのサーバ４は、被介護者の介護メニュートップのＷｅｂアドレス及び毎回変わる暗証番号を収納した二次元バーコード１４を作成する。
【００６５】
そして、ステップ３３０で、管理センターのサーバ４は、作成した二次元バーコード１４をインターネット５を介して被介護者の端末１３に送信する。
【００６６】
その後、ステップ３４０で、介護者は、図６に示すように、被介護者の端末１３に受信された二次元バーコード１４を、その端末１３のディスプレイに表示する。
【００６７】
そして、ステップ３５０で、介護者は、図６に示すように、端末１３に表示された二次元バーコード１４を介護者の携帯電話１２を使用して読み取る。ここで、携帯電話１２に搭載されたデジタルカメラ２で二次元バーコード１４を撮影することにより、同じく携帯電話１２に搭載されたバーコード読取装置１１が二次元バーコード１４に収納されたＩＤ情報を読み取ることになる。
【００６８】
すると、ステップ３６０で、介護者の携帯電話１２は、二次元バーコード１４の読み取り結果（Ｗｅｂアドレス，暗証番号）をその画面に表示する。
【００６９】
その後、ステップ３７０で、介護者は、携帯電話１２により、インターネット５を介して、管理センターにおける被介護者の介護メニュートップのＷｅｂアドレスに接続する。このとき、介護者は、ステップ３６０で、携帯電話１２の画面に表示されたＷｅｂアドレスを画面上で選択することにより容易に接続することができる。
【００７０】
すると、ステップ３８０で、介護者の携帯電話１２は、図９の画面Ａに示すように、被介護者の「介護メニュートップ」のＷｅｂページを表示する。このページは、介護者が現在訪問している被介護者に対応して予め設定されたものである。この画面Ａには、介護者のＩＤ情報である「登録番号」、「介護者氏名」及び「被介護者氏名」と、被介護者のＩＤ情報である「暗証番号」の記入欄とが表示される。また、画面Ａには「送信」のキーが表示される。
【００７１】
その後、ステップ３９０で、介護者は、上記のように携帯電話１２に表示された「介護メニュートップ」のＷｅｂページにおける「暗証番号」の記入欄に暗証番号を入力する。ここで、介護者は、携帯電話１２を操作することにより、ステップ３６０で表示された暗証番号をコピーして、画面Ｅの「暗証番号」の記入欄に貼付することで、暗証番号を容易に入力することができる。そして、介護者は、「送信」のキーをクリックすることにより、入力された暗証番号を管理センターのサーバ４へ送信する。
【００７２】
すると、ステップ４００で、管理センターのサーバ４は、介護者の携帯電話１２から送信された暗証番号が正しいか否かを判断する。すなわち、暗証番号が、被介護者の端末１３に送信した二次元バーコード１４に収納したものであるか否かを判断する。この判断結果が否定である場合、サーバ４が介護者の携帯電話１２にエラー情報を送信することにより、ステップ４３０で、携帯電話１２は「暗証番号エラー」を表示する。これにより、介護者は再びステップ３９０の処理へ戻る。
【００７３】
一方、ステップ４００の判断結果が肯定である場合、ステップ４１０で、介護者の携帯電話１２は、その画面の表示を「介護メニュー」へ順次移行する。すなわち、先ず、図９の画面Ａに示す「介護メニュートップ」から、図９の画面Ｂに示す「介護サービス選択」へ移行する。この画面Ｂには、介護者の「登録番号」の欄、「介護者氏名」の欄、「被介護者氏名」の欄、「介護サービス選択メニュー」の欄が表示される。また、画面Ｂには「送信」のキーが表示される。ここで、「介護サービス選択メニュー」の欄で、介護者が「訪問介護」を選択して「送信」のキーをカーソルで選択してクリックすると、画面Ｃに示す「介護サービス確認」へ移行する。この画面Ｃには、介護者の「登録番号」の欄、「介護者氏名」の欄、「被介護者氏名」の欄、「介護サービス選択確認」の欄がそれぞれ表示される。また、画面Ｃには「修正」及び「送信」のキーが表示される。ここで、介護者は、修正が必要な場合に「修正」のキーをクリックすることで、画面Ｂに戻って選択の修正を行うことができる。一方、介護者は、修正が必要ない場合は、「送信」のキーをクリックすることで、図９の画面Ｄに示す「介護メニュー」へ移行する。ここで、画面Ｄには、介護者の「登録番号」の欄、「介護者氏名」の欄、「被介護者氏名」の欄、「介護開始」の日時の欄、並びに「体温」、「血圧」、「脈拍」、「最終排便」及び「睡眠」の良否の記入欄、更には、「訪問治療依頼」の選択欄などが表示される。また、画面Ｄには「送信」のキーが表示される。このように、「介護メニュー」は、箇条項目の中から該当項目を選択することにより介護結果を入力可能に構成した表示画面（画面Ｄ）を含む。
【００７４】
その後、ステップ４２０で、介護者は画面Ｄに示す「介護メニュー」を見ながら介護を開始する。
【００７５】
次に、介護終了までの流れを説明する。図８のフローチャートにおいて、ステップ５００で、介護者は、図９の画面Ｄに示すように、携帯電話１２に表示された「介護メニュー」の各記入欄などに介護結果を順次入力する。すなわち、介護者は、「介護メニュー」の項目に従い介護を開始し、各記入欄に介護結果に係る必要なデータを入力する。
【００７６】
そして、ステップ５１０で、介護者は、携帯電話１２により介護結果を管理センターのサーバ４へインターネット５を介して送信する。ここでは、介護結果の入力が完了して、介護者が、画面Ｄにおける「送信」のキーをクリックすることにより介護結果の送信が行われ、「介護メニュー」のＷｅｂが閉じられる。
【００７７】
その後、ステップ５２０で、管理センターのサーバ４は、介護結果の送信を受けて、「介護報告」のＷｅｂアドレスと毎回変わる暗証番号を収納した二次元バーコード１４を改めて作成する。
【００７８】
次に、ステップ５３０で、管理センターのサーバ４は、作成した二次元バーコード１４を、インターネット５を介して被介護者の端末１３に再び送信する。
【００７９】
そして、ステップ５４０で、被介護者宅では、図６に示すように、介護者が被介護者の端末１３に受信された二次元バーコード１４をディスプレイに表示する。
【００８０】
その後、ステップ５５０で、介護者は、図６に示すように、端末１３に表示された二次元バーコード１４を、上記と同様に介護者の携帯電話１２により読み取る。
【００８１】
すると、ステップ５６０で、介護者の携帯電話１２は、二次元バーコード１４の読み取り結果（Ｗｅｂアドレス，暗証番号）を画面に表示する。
【００８２】
その後、ステップ５７０で、介護者は、携帯電話１２により管理センターのサーバ４における被介護者の「介護報告」のＷｅｂアドレスに接続する。このとき、介護者は、ステップ５６０で、携帯電話１２の画面に表示されたＷｅｂアドレスを画面上で選択して送信することにより容易に接続することができる。
【００８３】
次に、ステップ５８０で、介護者の携帯電話１２は、図１０の画面Ｅに示すように、被介護者の「介護報告」のＷｅｂページを表示する。この画面Ｅには、図９の画面Ｄに示す「介護メニュー」の項目に加え、「介護終了」の日時、「被介護者承認」の表示欄、「暗証番号」の記入欄、「入力データを送信しますか？」の表示と、その確認のための「はい」及び「いいえ」のキーが表示される。
【００８４】
そして、ステップ５９０で、介護者及び被介護者は、携帯電話１２の個人認証装置を用いて被介護者の介護終了承認を行う。例えば、介護者は、デジタルカメラ２を操作して被介護者の顔画像を撮影することにより、その顔画像を、被介護者から提供される介護終了承認の証拠として取得する。ここで、撮影された顔画像情報には、その撮影日時が自動的に貼付されるようになっている。念のため、撮影日時を記入した札と共に被介護者を撮影することで、介護終了承認の証拠性を高めることができる。
【００８５】
その後、ステップ６００で、介護者は、図１０の画面Ｅに示すように、携帯電話１２に表示された「介護報告」のＷｅｂページに暗証番号と、被介護者承認に関する顔画像を入力して管理センターのサーバ４へ送信する。ここで、介護者は、携帯電話１２を操作することにより、ステップ５６０で表示された暗証番号をコピーして、画面Ｅの「暗証番号」の記入欄に貼付することで、暗証番号を容易に入力することができる。同じく、介護者は、携帯電話１２を操作することにより、ステップ５９０で取得した被介護者の顔画像そのものを日時情報と併せて画面Ｅの「被介護者承認」の表示欄に表示することができ、介護終了承認を容易に入力することができる。また、サーバ４への送信は、画面Ｅの「はい」のキーをクリックすることで行うことができる。画面Ｅの「いいえ」のキーをクリックすると、入力修正が可能となる。
【００８６】
そして、ステップ６１０で、管理センターのサーバ４は、介護者の携帯電話１２から送信された暗証番号が正しいか否かを判断する。この判断結果が否定である場合、サーバ４が介護者の携帯電話１２にエラー情報を送信することにより、ステップ６５０で、介護者の携帯電話１２は「暗証番号エラー」を表示する。これにより、介護者は再びステップ６００の処理へ戻る。
【００８７】
一方、ステップ６１０の判断結果が肯定である場合、ステップ６２０で、介護者の携帯電話１２は、介護終了を画面に表示する。すなわち、図１０の画面Ｆに示すように、「受け付けました。介護終了です。」というメッセージを表示する。
【００８８】
その後、ステップ６３０で、管理センターのサーバ４は、受信した介護結果情報、被介護者のＩＤ情報（暗証番号）及び介護終了承認情報などをデータベース８に記録する。
【００８９】
そして、ステップ６４０で、介護者は、上記の在宅介護システムを使用した介護を終了する。
【００９０】
以上説明したこの実施形態の在宅介護システムは、介護者が所持し、二次元バーコード１４を読み取るデジタルカメラ２及びバーコード読取装置１１を搭載した携帯電話１２と、管理センターが装備し、少なくとも介護者及び被介護者に関する情報を管理するサーバ４とを備える。そして、デジタルカメラ２及びバーコード読取装置１１を使用して読み取られる二次元バーコード１４に収納したＩＤ情報（暗証番号及びＷｅｂアドレス）を利用して、被介護者の介護に必要な各種情報を携帯電話１２とサーバ４との間で送受信することにより、在宅介護サービスの管理を行うようになっている。ここで、この在宅介護システムによれば、介護者が被介護者宅を訪問したとき、管理センターのサーバ４から被介護者の端末１３に送信される二次元バーコード１４を、介護者の所持する携帯電話１２のデジタルカメラ２及びバーコード読取装置１１を使用して読み取る。そして、その読み取られた二次元バーコード１４に収納したＩＤ情報（暗証番号及びＷｅｂアドレス）を、介護者が携帯電話１２から管理センターのサーバ４へ送信する。このとき、管理センターのサーバ４は、介護者から送られてくるＩＤ情報（暗証番号及びＷｅｂアドレス）を受信してそのＩＤ情報（暗証番号及びＷｅｂアドレス）に対応した被介護者の介護に必要な各種情報を選定して介護者の携帯電話１２へ送信する。その後、介護者の携帯電話１２は、その介護に必要な各種情報を受信して画面に表示するようになっている。従って、介護者は、携帯電話１２を操作するだけで、特定の被介護者に係るＩＤ情報（暗証番号及びＷｅｂアドレス）を携帯電話１２からサーバ４へ簡単に送信することができ、特定の被介護者に関する介護に必要な各種情報をサーバ４から容易に取得して視認することが可能となる。このため、介護者は、被介護者のＩＤ情報（暗証番号及びＷｅｂアドレス）を被介護者名簿や記憶をたよりに携帯電話１２にいちいち入力することなく特定の被介護者に関する介護情報を容易に取得することができる。ここで、二次元バーコード１４に収納したＩＤ情報（暗証番号及びＷｅｂアドレス）は、読み取られるときに毎回変えられるので、介護者は、以前に読み取られたＩＤ情報（暗証番号及びＷｅｂアドレス）を不正に流用することができない。このため、介護者が、実際には被介護者宅を訪問していないのに、以前に読み取ったＩＤ情報（暗証番号及びＷｅｂアドレス）を不正に流用して介護情報を取得することを防止し、虚偽の介護報告を作成することを防止することができる。
【００９１】
また、この実施形態の在宅介護システムでも、介護者が取得する「介護メニュー」が、所定の表示画面（図９の画面Ｄ）を含み、その表示画面が、箇条項目の中から該当項目を選択することにより介護結果を入力可能に構成される。従って、介護者は、携帯電話１２を使用して、少ない操作で介護結果を入力することが可能となる。このため、介護者が一人の被介護者の介護に要する時間を短縮することができる。
【００９２】
また、この実施形態の在宅介護システムにおいて、携帯電話１２は、被介護者宅にて介護の終了に際し、介護に必要な各種情報（「介護メニュー」及び「介護報告」のページ）に応じて入力される介護結果情報、携帯電話１２のバーコード読取装置１１等により再び読み取られる二次元バーコード１４に収納したＩＤ情報（暗証番号）並びに、被介護者から提供される介護終了承認情報を送信するようになっている。そして、管理センターのサーバ４は、携帯電話１２から送信される介護結果情報、ＩＤ情報（暗証番号）及び介護終了承認情報を受信して被介護者に対応した情報として記録するようになっている。
【００９３】
従って、この実施形態の在宅介護システムによれば、一人の被介護者の介護が終了するごとに、サーバ４には、その被介護者に関する暗証番号と、介護の開始時間及び終了時間（介護時間）などを含む介護情報が記録される。このため、介護者の報酬を精算するときに、これらの暗証番号と介護情報を参照することができるので、介護者が、実際に被介護者宅を訪問して介護を行ったことを客観的に確かめることができる。このため、介護者の報酬を適正に精算することができ、介護報酬に関する不正受給の防止に寄与することができる。
【００９４】
尚、この発明は前記各実施形態に限定されるものではなく、発明の趣旨を逸脱することのない範囲で以下のように実施することもできる。
【００９５】
（１）前記各実施形態では、介護者の携帯端末として携帯電話３，１２を使用したが、小型なノートタイプのコンピュータを携帯端末として使用することもできる。
【００９６】
（２）前記各実施形態では、デジタルカメラ２で撮影される被介護者の顔画像を被介護者から提供される介護終了認証の証拠の一つとして使用した。これに対し、携帯電話に接続される指紋リーダにより読み取られる被介護者の指紋情報を、被介護者から提供される介護終了承認の証拠の一つとして使用してもよい。また、携帯電話に接続されるＩＣカードリーダにより、被介護者が所持するＩＣカードのＩＤ情報を読み取り、その読み取られたＩＤ情報を、被介護者から提供される介護終了承認の証拠の一つとして使用してもよい。
【００９７】
（３）前記第２実施形態では、二次元バーコード１４に、個々の被介護者に対応した暗証番号及びＷｅｂアドレスをＩＤ情報として収納し、その暗証番号が毎回変わるようにした。これに対し、二次元バーコードに、個々の被介護者に対応したＷｅｂアドレスだけをＩＤ情報として収納し、そのＷｅｂアドレスが毎回変わるようにしてもよい。
【００９８】
（４）前記第２実施形態では、二次元バーコードを使用したが、一次元バーコードを使用してもよい。
【００９９】
（５）前記第２実施形態では、介護開始に際して、被介護者宅の端末１３に管理センターのサーバ４から毎回変わる二次元バーコードを送信することにより、被介護者宅へ、個々の被介護者に対応して設定され毎回変わるＩＤ情報を収納した二次元バーコードを配付するように構成した。これに対し、被介護者宅に端末がない場合は、被介護者のＩＤ情報を収納した二次元バーコード付きの介護チケットを、被介護者に管理センターから予め渡すことにより、被介護者宅へ、個々の被介護者に対応して設定され毎回変えられるＩＤ情報を収納した二次元バーコードを配付するように構成してもよい。すなわち、この場合は、被介護者が管理センターと介護契約を結ぶと、管理センターから被介護者に二次元バーコード（介護メニュートップのＷｅｂアドレスと、回数毎に異なる暗証番号が収納される）付きの複数の介護チケットが発行される。ここで、介護メニューのＷｅｂアドレスは固定であるが、暗証番号は各チケット毎に異なる。そして、１回目の介護では、介護者は、１回目用の介護チケットに付された二次元バーコードから１回目用のＷｅｂアドレス及び暗証番号を読み取るのである。
【０１００】
（６）前記第２実施形態では、介護終了に際して、被介護者宅の端末１３に管理センターのサーバ４から毎回変わる二次元バーコードを改めて送信するように構成した。これに対し、被介護者宅に端末がない場合は、「介護報告」のＷｅｂページに移行し、管理センターより被介護者宅に電話をかけて自動音声案内により暗証番号を通知する。そして、「介護報告」のＷｅｂページに、電話通知された暗証番号を入力するようにしてもよい。
【図面の簡単な説明】
【０１０１】
【図１】在宅介護システムを示す概略構成図。
【図２】在宅介護システムの動作手順を示すフローチャート。
【図３】同じく動作手順を示す概念図。
【図４】携帯電話に表示される一連の表示画面。
【図５】携帯電話に表示される一連の表示画面。
【図６】在宅介護システムを示す概略構成図。
【図７】在宅介護システムの動作手順（介護開始まで）を示すフローチャート。
【図８】同じく動作手順（介護終了まで）を示すフローチャート。
【図９】携帯電話に表示される一連の表示画面。
【図１０】携帯電話に表示される一連の表示画面。
【符号の説明】
【０１０２】
１    ＧＰＳ受信機
２    デジタルカメラ（読取手段）
３    携帯電話（携帯端末）
４    サーバ
１１    バーコード読取装置（読取手段）
１２    携帯電話（携帯端末）
１３    端末
【図１】
2005243009.tif 000003
【図２】
2005243009.tif 000004
【図３】
2005243009.tif 000005
【図４】
2005243009.tif 000006
【図５】
2005243009.tif 000007
【図６】
2005243009.tif 000008
【図７】
2005243009.tif 000009
【図８】
2005243009.tif 000010
【図９】
2005243009.tif 000011
【図１０】
2005243009.tif 000012